(57)【要約】      （修正有）【課題】飲料水中の炭酸ガスが時間経過とともに飲料水より抜け出し、炭酸飲料としての清涼感と風味が失われていく事の防止と、冷蔵庫収納保存に関するものであり、従来と比べて、よりコンパクトな加圧ポンプを提供する。【解決手段】炭酸飲料水容器開栓後に炭酸飲料水容器側主要本体部５とそれに加圧用蛇腹式ポンプを密着して取り付け、最上部蛇腹式ポンプ収納ケースを上から数回押し下げ、上下操作を繰り返し加圧操作を行う。加圧操作後に蛇腹式ポンプ部分を押し下げ、蛇腹式ポンプ部体積と上下長を小さくした後、最上部蛇腹式ポンプ収納ケースに設けられた蛇腹式ポンプ収納ケースフックを噛み合わせに必要な角度分回転させて、炭酸飲料水容器側容器側密栓主要本体部５に設けられた炭酸飲料水容器側密栓フックに噛み合わせ、蛇腹ポンプを固定させ全体の上下長を短く保ち、容器全体の長さを通常の家庭用冷蔵庫ドアーポケットにも収納可能となる長さにした。【選択図】図４
2014227228.tif 000002
【特許請求の範囲】
【請求項１】
炭酸飲料水を一旦開栓した後に、炭酸飲料水容器側密栓主要本体部（５）とそれに密着した加圧用蛇腹式ポンプ（１）を取り付け、更に当該ポンプ最上部に蛇腹式ポンプ収納ケース（２）と当該ケースに蛇腹式ポンプ収納ケースフック（３）を設け、加圧操作後に加圧用蛇腹式ポンプ（１）部分を押し下げ、蛇腹部分の体積と上下長を小さくし、炭酸飲料水容器側密栓主要本体部（５）に設けられた炭酸飲料水容器側密栓フック（４）に蛇腹式ポンプ収納ケースフック（３）を噛み合わせに必要な角度分を回転させてフック同士を噛み合わせ、全体の上下長を短く保ち、容器と当該加圧密閉具全体の長さを通常の家庭用冷蔵庫ドアーポケットにも収納可能となる長さにした事を特徴とする炭酸飲料水容器用加圧密閉栓である。
【発明の詳細な説明】
【技術分野】
【０００１】本発明は、市販の家庭用炭酸飲料水容器を一旦開栓し飲み残しを保存する時、通常の方法で密栓しても、飲料水中の炭酸ガスが時間経過とともに飲料水より抜け出し、炭酸飲料としての清涼感と風味が失われていく事の防止と、冷蔵庫収納保存に関するものである。
【背景技術】
【０００２】従来、炭酸飲料水をポンプ又は中空球状又は楕円又はそれに類する形状のエラストマーにて加圧密閉する商品はあった。
しかし、炭酸飲料水容器に装着したまま冷蔵庫等で保存する必要があり、その場合には冷蔵庫の１，５〜２，０リットルペットボトル用ドアーポケット等に立てて保管するのが通常であった。
その場合、一般的な冷蔵庫のドアーポケットでは加圧密閉具を装着したままでは全体の長さが大きくなるため、当該のドアーポケットに収納すると、冷蔵庫ドアーが閉まり難いなどの問題があり、従前には加圧密閉具を装着したまま問題なく収納可能な程度の大きさの加圧密閉具はなかった。
【先行技術文献】
【特許文献】
【０００３】
【特許文献１】実開平７−９７５５号  公報
【特許文献２】登録実用新案  第３０４３５１０号  公報
【特許文献３】特表２００５−５１０４２９号  公報
【発明の概要】
【発明が解決しようとする課題】
【０００４】これは、次の様な欠点があった。従来の加圧密閉具は、加圧密閉の為の密栓と加圧する部分（エラストマー部分）と炭酸飲料容器部分との合計上下長が大きくなり、家庭用冷蔵庫のドアーポケットに収納しにくくなる場合が多々有った。
本発明は、以上の様な欠点を無くす為になされたものである。
【課題を解決する為の手段】
【０００５】炭酸飲料水容器開栓後の保存には、以前より炭酸飲料水容器内圧力をポンプやその他の用具を用いて上昇させ、飲料水に溶解している炭酸ガスが飲料水より抜け出る事を防止してきた。
その場合、炭酸飲料水容器にポンプ類を装着したまま保存しようとすると、当該加圧密閉具と当該容器全体の合計長さが大きくなり、通常の家庭用冷蔵庫ドアーポケット等に収納した場合、冷蔵庫ドアーが閉まり難い場合が多々あった。
そこで、炭酸飲料水容器開栓後に炭酸飲料水容器側密栓主要本体部（５）とそれに密着した加圧用蛇腹式ポンプ（１）を取り付け、最上部に設けた蛇腹式ポンプ収納ケース（２）を上から数回押し下げ、必要回数上下操作を繰り返し、加圧操作を実施する。
加圧操作後に加圧用蛇腹式ポンプ（１）部分を押し下げ、加圧用蛇腹式ポンプ部（１）体積と上下長を小さくした後、蛇腹式ポンプ収納ケース（２）を噛み合わせに必要な角度分回転をさせて、炭酸飲料水容器側密栓主要本体部（５）に設けられた炭酸飲料水容器密栓フック（４）と蛇腹式ポンプ収納ケースフック（３）を噛み合わせ、加圧用蛇腹式ポンプ（１）を固定させ、全体の上下長を短く保ち、加圧密栓具と容器全体の長さを通常の家庭用冷蔵庫ドアーポケットにも収納可能となる長さにした。
本発明は、以上の構成よりなる炭酸飲料水容器用加圧密閉栓である。
【発明の効果】
【０００６】炭酸飲料水容器に装着する密栓とポンプ部分が加圧操作後にコンパクトに収納可能な為、炭酸飲料水容器部と密栓部とポンプ部全体長さが短くなり、家庭用の一般的な冷蔵庫のドアーポケットにも収納し易くなると言う効果が生まれた。
【図面の簡単な説明】
【０００７】
【図１】本発明の平面図である。
【図２】本発明のＡ−Ａ断面図である。
【図３】本発明のＢ−Ｂ断面図である。
【図４】本発明の蛇腹式ポンプ収納ケースに蛇腹式ポンプを収納後の正面図である。
【図５】本発明の底面図である。
【発明を実施するための形態】
【０００８】以下、本発明の実施形態について説明する。
市販の家庭用炭酸飲料水容器は、一旦開栓すると容器内圧力の低下で飲料水に溶解している炭酸ガスが時間とともに飲料水部から抜け出し、炭酸飲料としての清涼感が損なわれ風味が低下する。
それを防止する為に、過去より炭酸飲料水容器内圧力を上昇させ、炭酸ガスの抜け出しを防止し、また飲料水の液体温度を下げて炭酸ガスの飲料水に対する溶解度を上昇させる方法がとられて来た。
家庭で前述の防止策を実施するには、炭酸飲料水の圧力を外部からポンプなどで上昇させる事と、冷蔵庫で炭酸飲料水を冷却する事である。
市場に販売されている炭酸飲料水の多くは１．５リットル容器で、当日飲み切り難く翌日に飲み残す事が多く、従来型のポンプ付き密栓でも炭酸飲料容器を加圧出来るが、容器を含めた全体の長さが大きくなり、炭酸飲料冷却する為の通常収納場所である冷蔵庫ドアーポケットには収納し難くかった。
本発明の炭酸飲料水容器用加圧密閉栓は、炭酸飲料容器に装着し加圧用蛇腹式ポンプ（１）にて加圧し、操作後に当該ポンプを上下方向に押さえつけ蛇腹式ポンプ収納ケース（２）に設けた蛇腹式ポンプ収納ケースフック（３）と炭酸飲料水容器側密栓主要本体部（５）に設けた炭酸飲料水容器密栓フック（４）を利用してフック同士を噛み合わせ固定化し、コンパクトに保つ事が可能である。
本発明の炭酸飲料水容器用加圧密閉栓を使用すると、冷蔵庫ドアーポケットにも収納可能になり、炭酸飲料水容器の冷蔵庫への収納状態が改善される。
本発明は以上の様な構造である。
【符号の説明】
【０００９】（１）加圧用蛇腹式ポンプ
（２）蛇腹式ポンプ収納ケース
（３）蛇腹式ポンプ収納ケースフック
（４）炭酸飲料水容器側密栓フック
（５）炭酸飲料水容器側密栓主要本体部
【図１】
2014227228.tif 000003
【図２】
2014227228.tif 000004
【図３】
2014227228.tif 000005
【図４】
2014227228.tif 000006
【図５】
2014227228.tif 000007